【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
プログラムであって、映像通話品質測定装置に、
第１電子機器とネットワークを介して映像通話を進行している第２電子機器の表示画面をキャプチャする段階であって、前記キャプチャされた表示画面は、第１電子機器側フレームイメージおよび第２電子機器側フレームイメージを含み、前記第１電子機器側フレームイメージは第１時間値を含み、前記第２電子機器側フレームイメージは第２時間値を含む、段階、
前記キャプチャされた表示画面を分析し、前記第１電子機器側フレームイメージに含まれた前記第１時間値および前記第２電子機器側フレームイメージに含まれた前記第２時間値を抽出する段階、
前記抽出された第１時間値および前記抽出された第２時間値を利用して映像通話品質を示す少なくとも１つのパラメータを計算する段階
を実行させる、プログラム。
【請求項２】
前記映像通話は、前記第１電子機器と前記第２電子機器それぞれが同じソース映像を映像通話の相手に送信して行われるテスト映像通話を含み、
前記ソース映像が含む複数のフレームは、予め設定された時間間隔の連続的な時間値を順次に含む、請求項１に記載のプログラム。
【請求項３】
前記第１電子機器側フレームイメージは、前記テスト映像通話のために前記第１電子機器から前記第２電子機器に送信されるソース映像が含むフレームのうちの第１フレームとして、前記第２電子機器の画面のうちの少なくとも一部に前記第１フレームに対応する前記第１時間値と共に表示され、
前記第２電子機器側フレームイメージは、前記テスト映像通話のために前記第２電子機器から前記第１電子機器に送信されるソース映像が含むフレームのうちの第２フレームとして、前記第２電子機器の画面のうちの少なくとも一部に前記第２フレームに対応する前記第２時間値と共に表示される、請求項２に記載のプログラム。
【請求項４】
前記少なくとも１つのパラメータを計算する段階は、
前記第２時間値と前記第１時間値の差値を前記第２電子機器と前記第１電子機器との間のエンドツーエンド遅延のためのパラメータとして計算する、請求項１乃至３のいずれか一項に記載のプログラム。
【請求項５】
前記映像通話は、前記第１電子機器と前記第２電子機器それぞれが同じソース映像を映像通話の相手に送信して行われるテスト映像通話を含み、
前記キャプチャする段階は、
順次に複数の表示画面をキャプチャし、
前記少なくとも１つのパラメータを計算する段階は、
前記複数の表示画面それぞれから抽出される複数の第１時間値に基づき、前記ソース映像の互いに連続するフレームに対応する第１時間値間の差値を計算し、前記計算された差値のうちの最小値の逆数をフレームレートのためのパラメータとして計算する、請求項１に記載のプログラム。
【請求項６】
前記少なくとも１つのパラメータを計算する段階は、
前記計算された差値を前記ソース映像のフレーム間のフレーム間隔として利用し、前記フレーム間隔に対する移動平均および累積分布のうちの少なくとも１つをパラメータとして計算する、請求項５に記載のプログラム。
【請求項７】
前記映像通話は、前記第１電子機器と前記第２電子機器それぞれが同じソース映像を映像通話の相手に送信して行われるテスト映像通話を含み、
前記プログラムは、前記映像通話品質測定装置に、
前記ソース映像に含まれたフレームのうちから前記第１電子機器側フレームイメージに対応するフレームを決定する段階、
前記第１電子機器側フレームイメージと前記決定されたフレーム間のピーク信号対雑音比を計算する段階、
をさらに実行させる、請求項１に記載のプログラム。
【請求項８】
前記キャプチャする段階は、
前記映像通話品質測定装置が含むカメラを利用して前記第２電子機器の表示画面を撮影することによって入力される映像を前記キャプチャされた表示画面として生成する、請求項１乃至７のいずれか一項に記載のプログラム。
【請求項９】
映像通話品質測定装置であって、
コンピュータで読み取り可能な命令を実行するように実現される少なくとも１つのプロセッサ
を含み、
前記少なくとも１つのプロセッサは、
第１電子機器とネットワークを介して映像通話を進行している第２電子機器の表示画面をキャプチャし、前記キャプチャされた表示画面は、第１電子機器側フレームイメージおよび第２電子機器側フレームイメージを含み、前記第１電子機器側フレームイメージは第１時間値を含み、前記第２電子機器側フレームイメージは第２時間値を含み、
前記キャプチャされた表示画面を分析し、前記第１電子機器側フレームイメージに含まれた前記第１時間値および前記第２電子機器側フレームイメージに含まれた前記第２時間値を抽出し、
前記抽出された第１時間値および前記抽出された第２時間値を利用して映像通話品質を示す少なくとも１つのパラメータを計算する、
映像通話品質測定装置。
【請求項１０】
前記映像通話は、前記第１電子機器と前記第２電子機器それぞれが同じソース映像を映像通話の相手に送信して行われるテスト映像通話を含み、
前記ソース映像が含む複数のフレームは、予め設定された時間間隔の連続的な時間値を順次に含む、請求項９に記載の映像通話品質測定装置。
【請求項１１】
前記第１電子機器側フレームイメージは、前記テスト映像通話のために前記第１電子機器から前記第２電子機器に送信されるソース映像が含むフレームのうちの第１フレームとして、前記第２電子機器の画面のうちの少なくとも一部に前記第１フレームに対応する前記第１時間値と共に表示され、
前記第２電子機器側フレームイメージは、前記テスト映像通話のために前記第２電子機器から前記第１電子機器に送信されるソース映像が含むフレームのうちの第２フレームとして、前記第２電子機器の画面のうちの少なくとも一部に前記第２フレームに対応する前記第２時間値と共に表示される、請求項１０に記載の映像通話品質測定装置。
【請求項１２】
前記少なくとも１つのプロセッサは、前記少なくとも１つのパラメータを計算するために、
前記第２時間値と前記第１時間値の差値を前記第２電子機器と前記第１電子機器との間のエンドツーエンド遅延のためのパラメータとして計算する、請求項９乃至１１のいずれか一項に記載の映像通話品質測定装置。
【請求項１３】
前記映像通話は、前記第１電子機器と前記第２電子機器それぞれが同じソース映像を映像通話の相手に送信して行われるテスト映像通話を含み、
前記少なくとも１つのプロセッサは、
順次に複数の表示画面をキャプチャし、
前記少なくとも１つのパラメータを計算するために、
前記複数の表示画面それぞれから抽出される複数の第１時間値に基づき、前記ソース映像の互いに連続するフレームに対応する第１時間値間の差値を計算し、前記計算された差値のうちの最小値の逆数をフレームレートのためのパラメータとして計算する、請求項９に記載の映像通話品質測定装置。
【請求項１４】
前記少なくとも１つのプロセッサは、前記少なくとも１つのパラメータを計算するために、
前記計算された差値を前記ソース映像のフレーム間のフレーム間隔として利用し、前記フレーム間隔に対する移動平均および累積分布のうちの少なくとも１つをパラメータとして計算する、請求項１３に記載の映像通話品質測定装置。
【請求項１５】
前記映像通話は、前記第１電子機器と前記第２電子機器それぞれが同じソース映像を映像通話の相手に送信して行われるテスト映像通話を含み、
前記少なくとも１つのプロセッサは、
前記ソース映像に含まれたフレームのうちから前記第１電子機器側フレームイメージに対応するフレームを決定し、
前記第１電子機器側フレームイメージと前記決定されたフレーム間のピーク信号対雑音比パラメータを計算する、
請求項９に記載の映像通話品質測定装置。
【請求項１６】
前記第２電子機器の表示画面を撮影するカメラ
をさらに含み、
前記少なくとも１つのプロセッサは、
前記カメラを通じて入力される映像を前記キャプチャされた表示画面として生成する、請求項９乃至１５のいずれか一項に記載の映像通話品質測定装置。
【請求項１７】
映像通話品質測定装置の映像通話品質測定方法であって、
第１電子機器とネットワークを介して映像通話を進行している第２電子機器の表示画面をキャプチャするように前記第２電子機器を制御する段階であって、前記キャプチャされた表示画面は、第１電子機器側フレームイメージおよび第２電子機器側フレームイメージを含み、前記第１電子機器側フレームイメージは第１時間値を含み、前記第２電子機器側フレームイメージは第２時間値を含む、段階、
前記キャプチャされた表示画面を分析し、前記第１電子機器側フレームイメージに含まれた前記第１時間値および前記第２電子機器側フレームイメージに含まれた前記第２時間値を抽出するように前記第２電子機器を制御する段階、
前記抽出された第１時間値および前記抽出された第２時間値を利用して映像通話品質を示す少なくとも１つのパラメータを計算するように前記第２電子機器を制御する段階
を含む、映像通話品質測定方法。
【請求項１８】
前記映像通話は、前記第１電子機器と前記第２電子機器それぞれが同じソース映像を映像通話の相手に送信して行われるテスト映像通話を含み、
前記ソース映像が含む複数のフレームは、予め設定された時間間隔の連続的な時間値を順次に含む、請求項１７に記載の映像通話品質測定方法。
【請求項１９】
前記第１電子機器側フレームイメージは、前記テスト映像通話のために前記第１電子機器から前記第２電子機器に送信されるソース映像が含むフレームのうちの第１フレームとして、前記第２電子機器の画面のうちの少なくとも一部に前記第１フレームに対応する前記第１時間値と共に表示され、
前記第２電子機器側フレームイメージは、前記テスト映像通話のために前記第２電子機器から前記第１電子機器に送信されるソース映像が含むフレームのうちの第２フレームとして、前記第２電子機器の画面のうちの少なくとも一部に前記第２フレームに対応する前記第２時間値と共に表示される、請求項１８に記載の映像通話品質測定方法。
【請求項２０】
前記少なくとも１つのパラメータを計算する段階は、
前記第２時間値と前記第１時間値の差値を前記第２電子機器と前記第１電子機器との間のエンドツーエンド遅延のためのパラメータとして計算する、請求項１７乃至１９のいずれか一項に記載の映像通話品質測定方法。